(57)【要約】【課題】顕微鏡本体に接続される対物レンズの種別情報を容易に取得することができる簡素な顕微鏡システムおよび対物レンズユニットを提供する。【解決手段】顕微鏡本体１と、この顕微鏡本体１に着脱自在に装着できる対物レンズユニット４とを有する顕微鏡システムにおいて、対物レンズユニット４に設けられ、対物レンズ４ａの種別情報を電気的情報として保有する種別部１０と、対物レンズユニット４に設けられ、種別部１０と電気的に接続される単一の接続部材１１と、顕微鏡本体１に設けられ、接続部材１１を介して種別部１０と接続されることで対物レンズユニット４の種別情報を取得する識別回路１６とを備えるようにする。【選択図】図１
2010271548.tif 000002
【特許請求の範囲】
【請求項１】
顕微鏡本体と、この顕微鏡本体に着脱自在に装着できる対物レンズユニットとを有する顕微鏡システムにおいて、
前記対物レンズユニットに設けられ、対物レンズの種別情報を電気的情報として保有する種別部と、
前記対物レンズユニットに設けられ、前記種別部と電気的に接続される単一の接続部材と、
前記顕微鏡本体に設けられ、前記接続部材を介して前記種別部と接続されることで前記対物レンズユニットの種別情報を取得する識別回路と、
を備えることを特徴とする顕微鏡システム。
【請求項２】
前記対物レンズユニットは、対物レンズと、前記種別部を含む付属部材とからなることを特徴とする請求項１に記載の顕微鏡システム。
【請求項３】
前記付属部材に設けられ、前記種別部と接続されている種別信号線と、
前記種別信号線と接続され、前記識別回路に接続可能な単一の接続部材とをさらに備えることを特徴とする請求項２に記載の顕微鏡システム。
【請求項４】
前記付属部材に設けられた光源と、前記顕微鏡本体に設けられ、前記光源に駆動電力を供給するための照明回路と、
前記顕微鏡本体と前記付属部材との間に設けられ、前記光源と前記照明回路を電気的に接続する照明信号線と、
前記顕微鏡本体と前記付属部材との間に設けられ、前記種別部と前記識別回路を電気的に接続する種別信号線とをさらに備え、
前記照明信号線と前記種別信号線は、単一の接続部材を介して、前記付属部材と前記顕微鏡本体との間に架設されることを特徴とする請求項２または３に記載の顕微鏡システム。
【請求項５】
前記照明信号線と前記種別信号線は、単一の多芯ケーブルに接続されていることを特徴とする請求項４に記載の顕微鏡システム。
【請求項６】
前記種別信号線は、単一の多芯ケーブルに内蔵されていることを特徴とする請求項３〜５のいずれか一つに記載の顕微鏡システム。
【請求項７】
顕微鏡本体に着脱自在に装着できる対物レンズユニットにおいて、
対物レンズと、前記対物レンズの種別情報を電気的情報として保有する種別部と、
前記種別部と電気的に接続した単一の接続部材とを有することを特徴とする対物レンズユニット。
【請求項８】
付属部材をさらに有し、前記種別部は前記付属部材に含めてあることを特徴とする請求項７に記載の対物レンズユニット。
【請求項９】
前記対物レンズと前記付属部材は着脱自在であることを特徴とする請求項８に記載の対物レンズユニット。
【請求項１０】
前記付属部材に設けられ、前記種別部と接続されている種別信号線をさらに有し、
前記種別信号線は、単一の接続部材に接続されていることを特徴とする請求項８または９に記載の対物レンズユニット。
【請求項１１】
前記付属部材に設けられた光源と、
前記光源と電気的に接続する照明信号線と、
前記付属部材に設けられ、前記種別部に電気的に接続する種別信号線とをさらに有し、
前記照明信号線と前記種別信号線は、単一の接続部材で、前記付属部材に接続されることを特徴とする請求項８〜１０のいずれか一つに記載の対物レンズユニット。
【請求項１２】
前記照明信号線と前記種別信号線は、単一の多芯ケーブルに接続されていることを特徴とする請求項１１に記載の対物レンズユニット。
【請求項１３】
前記種別信号線は、単一の多芯ケーブルに内蔵されていることを特徴とする請求項１０〜１２のいずれか一つに記載の対物レンズユニット。
【発明の詳細な説明】
【技術分野】
【０００１】
本発明は、顕微鏡本体に着脱可能な対物レンズユニットを備える顕微鏡システムおよびこの顕微鏡システムに使用される対物レンズユニットに関するものである。
【背景技術】
【０００２】
従来、一般的な顕微鏡システムでは、顕微鏡本体に接続される対物レンズの倍率等の種別情報を取得することが望まれる。これを実現した顕微鏡システムとして、例えば、特許文献１〜３が知られている。
【０００３】
特許文献１では、顕微鏡本体とＲＳ２３２Ｃなどの通信方式で繋がっているパソコンに対して、レボルバに固定された対物レンズの種別情報を観察者が入力することによって、対物レンズの種別情報を顕微鏡システムに設定登録している。
【０００４】
特許文献２では、対物レンズの取り付けネジ部の長さが対物レンズの種類に応じて異なる形状になっており、対物レンズをレボルバに固定すると、レボルバ内部のマイクロスイッチがこのネジ部に押されることで電気的特性を持ったＨｉｇｈ／Ｌｏｗ信号が出力される。このＨｉｇｈ／Ｌｏｗ信号を検知することにより、対物レンズの種別情報を取得している。
【０００５】
特許文献３では、対物レンズの筒体部分にバーコードを取り付け、このバーコードを読み取った種別信号を顕微鏡本体に配置された読み取りアンテナで検知することで、対物レンズの種別情報を取得している。
【先行技術文献】
【特許文献】
【０００６】
【特許文献１】特許第３４４７３５７号公報
【特許文献２】特開昭５４−６３７６８号公報
【特許文献３】特許第３９９５４４８号公報
【発明の概要】
【発明が解決しようとする課題】
【０００７】
ところで、上記の従来の特許文献１〜３の顕微鏡システムは次のような課題があった。
【０００８】
特許文献１では、まず、観察者自身が対物レンズの種別情報を入力設定するため、手間と時間がかかってしまう。さらに、顕微鏡観察に不慣れな観察者が対物レンズの種別情報を入力設定する場合、種別情報の入力ミスをしてしまう可能性があり、観察者は、間違った観察条件のままで、観察を行ってしまうといった問題点がある。
【０００９】
特許文献２では、対物レンズを固定するレボ穴位置とマイクロスイッチ取り付け位置を調整しないと、取り付けネジ部とマイクロスイッチが設定した位置で接触せず、対物レンズの種別情報を誤検出する可能性があるため、組立調整に時間がかかってしまう。さらに、一般的なマイクロスイッチ部材はある程度寸法が大きいために、配置できるスペースが限られている顕微鏡の内部には、多数のマイクロスイッチを配置できず、種別できる対物レンズの種類が限定されるといった問題点がある。
【００１０】
特許文献３では、バーコードの取り付け位置と読み取りアンテナの取り付け位置を合致させるために、調整が必要になってしまう。また、一般的な読み取りアンテナは形状が大きいため、顕微鏡本体が肥大化する。さらに、バーコードからの種別情報を読み取る検出回路が複雑になるため、システム全体の価格が高くなり、ＣＳ（カスタマーサポート）担当者の負担が大きくなるといった問題点がある。
【００１１】
本発明は、上記実情に鑑みてなされたものであり、顕微鏡本体に接続される対物レンズの種別情報を容易に取得することができる簡素な顕微鏡システムおよび対物レンズユニットを提供することを目的とする。
【課題を解決するための手段】
【００１２】
上記の目的を達成するために、本発明に係る顕微鏡システムは、顕微鏡本体と、この顕微鏡本体に着脱自在に装着できる対物レンズユニットとを有する顕微鏡システムにおいて、前記対物レンズユニットに設けられ、対物レンズの種別情報を電気的情報として保有する種別部と、前記対物レンズユニットに設けられ、前記種別部と電気的に接続される単一の接続部材と、前記顕微鏡本体に設けられ、前記接続部材を介して前記種別部と接続されることで前記対物レンズユニットの種別情報を取得する識別回路とを備えることを特徴とする。
【００１３】
また、本発明に係る顕微鏡システムは、上述した発明において、前記対物レンズユニットは、対物レンズと、前記種別部を含む付属部材とからなることを特徴とする。
【００１４】
また、本発明に係る顕微鏡システムは、上述した発明において、前記付属部材に設けられ、前記種別部と接続されている種別信号線と、前記種別信号線と接続され、前記識別回路に接続可能な単一の接続部材とをさらに備えることを特徴とする。
【００１５】
また、本発明に係る顕微鏡システムは、上述した発明において、前記付属部材に設けられた光源と、前記顕微鏡本体に設けられ、前記光源に駆動電力を供給するための照明回路と、前記顕微鏡本体と前記付属部材との間に設けられ、前記光源と前記照明回路を電気的に接続する照明信号線と、前記顕微鏡本体と前記付属部材との間に設けられ、前記種別部と前記識別回路を電気的に接続する種別信号線とをさらに備え、前記照明信号線と前記種別信号線は、単一の接続部材を介して、前記付属部材と前記顕微鏡本体との間に架設されることを特徴とする。
【００１６】
また、本発明に係る顕微鏡システムは、上述した発明において、前記照明信号線と前記種別信号線は、単一の多芯ケーブルに接続されていることを特徴とする。
【００１７】
また、本発明に係る顕微鏡システムは、上述した発明において、前記種別信号線は、単一の多芯ケーブルに内蔵されていることを特徴とする。
【００１８】
また、本発明に係る対物レンズユニットは、顕微鏡本体に着脱自在に装着できる対物レンズユニットにおいて、対物レンズと、前記対物レンズの種別情報を電気的情報として保有する種別部と、前記種別部と電気的に接続した単一の接続部材とを有することを特徴とする。
【００１９】
また、本発明に係る対物レンズユニットは、上述した発明において、付属部材をさらに有し、前記種別部は前記付属部材に含めてあることを特徴とする。
【００２０】
また、本発明に係る対物レンズユニットは、上述した発明において、前記対物レンズと前記付属部材は着脱自在であることを特徴とする。
【００２１】
また、本発明に係る対物レンズユニットは、上述した発明において、前記付属部材に設けられ、前記種別部と接続されている種別信号線をさらに有し、前記種別信号線は、単一の接続部材に接続されていることを特徴とする。
【００２２】
また、本発明に係る対物レンズユニットは、上述した発明において、前記付属部材に設けられた光源と、前記光源と電気的に接続する照明信号線と、前記付属部材に設けられ、前記種別部に電気的に接続する種別信号線とをさらに有し、前記照明信号線と前記種別信号線は、単一の接続部材で、前記付属部材に接続されることを特徴とする。
【００２３】
また、本発明に係る対物レンズユニットは、上述した発明において、前記照明信号線と前記種別信号線は、単一の多芯ケーブルに接続されていることを特徴とする。
【００２４】
また、本発明に係る対物レンズユニットは、上述した発明において、前記種別信号線は、単一の多芯ケーブルに内蔵されていることを特徴とする。
【発明の効果】
【００２５】
本発明の顕微鏡システムによれば、顕微鏡本体と、この顕微鏡本体に着脱自在に装着できる対物レンズユニットとを有する顕微鏡システムにおいて、前記対物レンズユニットに設けられ、対物レンズの種別情報を電気的情報として保有する種別部と、前記対物レンズユニットに設けられ、前記種別部と電気的に接続される単一の接続部材と、前記顕微鏡本体に設けられ、前記接続部材を介して前記種別部と接続されることで前記対物レンズユニットの種別情報を取得する識別回路とを備えるので、対物レンズの種別情報は、対物レンズユニットの種別部に接続部材を介して接続された顕微鏡本体の識別回路により取得される。このため、対物レンズの種別情報を着脱交換する度毎に観察者が逐一入力設定する手間はなくなり、装着される対物レンズの種別情報を容易に顕微鏡システムに入力設定することができる。また、単一の接続部材によって対物レンズユニットと顕微鏡本体とが電気的に接続されるので、構造が簡素な顕微鏡システムを提供することができる。
【００２６】
また、本発明の対物レンズユニットによれば、顕微鏡本体に着脱自在に装着できる対物レンズユニットにおいて、対物レンズと、前記対物レンズの種別情報を電気的情報として保有する種別部と、前記種別部と電気的に接続した単一の接続部材とを有するので、対物レンズの種別情報を保持する種別部の電気的情報は単一の接続部材を介して外部に出力可能である。この単一の接続部材を、種別情報を識別する識別回路を有する顕微鏡本体に接続すれば、どのような種類の顕微鏡でも、顕微鏡本体に装着された対物レンズの種別を自動的に識別することができる。
【図面の簡単な説明】
【００２７】
【図１】図１は、本発明に係る顕微鏡システムの一例を示す側断面図である。
【図２】図２は、本発明に係る顕微鏡システムの実施例１の対物レンズユニットの側断面図である。
【図３】図３は、本発明に係る顕微鏡システムの実施例１の要部構成図である。
【図４】図４は、本発明に係る顕微鏡システムの実施例１の照明回路と識別回路の構成図である。
【図５】図５は、本発明に係る顕微鏡システムの対物レンズ種別情報を示すテーブルである。
【図６】図６は、本発明に係る顕微鏡システムの実施例１のフローチャートである。
【図７】図７は、本発明に係る顕微鏡システムの実施例２の要部構成図である。
【図８】図８は、本発明に係る顕微鏡システムの実施例２の識別回路の構成図である。
【図９】図９は、本発明に係る顕微鏡システムの実施例２のフローチャートである。
【発明を実施するための形態】
【００２８】
以下に添付図面を参照しながら、本発明に係る顕微鏡システムおよび対物レンズユニットの好適な実施の形態を詳細に説明する。なお、この実施の形態によりこの発明が限定されるものではない。また、図面の記載において、同一部分には同一の符号をつけて説明する。
【実施例１】
【００２９】
まず、本発明の実施例１の顕微鏡システムについて説明する。図１は、実施例１の顕微鏡システムの側断面図である。
【００３０】
図１に示すように、本発明の実施例１の顕微鏡システムは、標本２を載置するステージ３と、標本２の上方に配置される対物レンズユニット４と、対物レンズユニット４を保持するレボルバ５と、レボルバ５の上に配置される鏡筒６とからなる顕微鏡本体１と、対物レンズユニット４とコネクタケーブル１１（接続部材）を介して電気的に接続した制御部８とから構成されている。鏡筒６の前面には接眼レンズ７が接続されており、観察者は接眼レンズ７を覗き込むと標本２の光学像を観察することができる。
【００３１】
（対物レンズユニット）
対物レンズユニット４は、図２に示すように、複数の光学レンズで構成された対物レンズ本体４ａと、対物レンズ本体４ａに対して着脱可能な付属部材４ｂとで構成されている。対物レンズユニット４は、図１に示すように、レボルバ５に着脱自在に取り付けができ、レボルバ５の回転操作に応じて対物レンズ本体４ａの複数の光学レンズが標本２の上部に選択的に配置されるようになっている。図２および図３に示すように、付属部材４ｂは、標本２に照明光を照射できる光源９と、対物レンズの種別情報（以下においては「種類情報」または「識別情報」ということがある。）を電気的情報として保有する種別部１０とを含んでおり、付属部材４ｂには、光源９に接続されている電源信号線１９と、照明信号線（１８ａ〜１８ｄ）と、種別部１０と接続されている種別信号線（２０ａ〜２０ｃ）と、制御部８のＧＮＤ層に接続されているＧＮＤ信号線２１とを内蔵するコネクタケーブル１１が接続される。
【００３２】
コネクタケーブル１１は、多芯ケーブル１１ａとコネクタ１１ｂとで構成されており、多芯ケーブル１１ａ内部の上記信号線１８ａ等、１９、２０ａ等、２１には接続端子が接続され、コネクタ１１ｂでまとめられている。
【００３３】
（光源）
光源９は、図３に示すように、複数の発光素子１２が用いられ、図２に示すように、これら発光素子１２は、対物レンズ本体４ａに固定された基板に対して、対物レンズ本体４ａの内周を沿うようにドーナツ状に配置されている。発光素子１２としては、例えば、白色ＬＥＤを採用することが考えられ、観察光軸中心に向かって照明できる向きに傾けた状態で基板上に実装されている。また、この回路構成は、図３に示すように、複数の発光素子１２が直列に並んでいる回路が４系統構成されており、これら発光素子１２は対物レンズ本体４ａの内周に沿って隙間なく１列に配置されている。また、各回路はコネクタケーブル１１を介して制御部８に接続されることで、駆動電力が供給され、光源９を調光できる構成になっている。
【００３４】
（種別部）
種別部１０は、対物レンズ種別情報を電気的な２値データとして保持できる電気的回路になっており、光源９の発光素子１２が配置されている基板に実装されている。この電気的回路は、図３に示すように、３系統になっており、顕微鏡本体１に配置されている制御部８から種別電圧を印加されたときに、電気的な２値データを取得できる識別素子（１３ａ〜１３ｃ）が実装されている。識別素子（１３ａ〜１３ｃ）は、抵抗または、部品を実装するパット、およびランド間をショートできる部材であれば、何を使っても良い。また、並列回路数に応じて、種別できる数量を変えることもできる。例えば、電気回路が３系統構成されている本構成では、８種類（２の３乗）の対物レンズ種別情報を保持できる。
【００３５】
対物レンズ種別情報は、顕微鏡本体１に接続された対物レンズの倍率情報になっており、電気的な２値データで構成されている。ここで述べる２値データとは、種別信号線（２０ａ〜２０ｃ）の種別電圧レベルのことを示しており、Ｈｉｇｈレベルであった場合は「１」、Ｌｏｗレベルであった場合は「０」を示す。
【００３６】
（制御部）
顕微鏡本体１には、制御部８が配置されている。図３および図４に示すように、制御部８は、照明回路１４と、電源回路１５と、識別回路１６とで構成されており、各回路からの信号線は、接続端子（１７ａ〜１７ｉ）に接続され、単一のコネクタ１８にまとめられている。
【００３７】
コネクタ１８は、コネクタケーブル１１のコネクタ１１ｂと電気的に接続でき、コネクタケーブル１１の多芯ケーブル１１ａに内蔵されている照明信号線（１８ａ〜１８ｄ）と、電源信号線１９と、種別信号線（２０ａ〜２０ｃ）と、ＧＮＤ信号線２１とをコネクタ１８の接続端子（１７ａ〜１７ｉ）に電気的にそれぞれ接続させることができる。
【００３８】
照明回路１４は、図４に示すように、定電流回路ＣＩが４系統構成されたものであり、コネクタ１８を介して、各定電流回路ＣＩの信号線が繋がっている接続端子（１７ａ〜１７ｄ）と照明信号線（１８ａ〜１８ｄ）が接続されていると、光源９に適切な駆動電流を流せる。また、定電流回路ＣＩの入力部には、４ｃｈタイプのＤＡコンバータ２２があり、定電流回路に流す電流値の基準電圧は各チャンネルから出力されている。
【００３９】
電流回路１５は、一般的なスイッチング電源回路が構成されたものであり、図３に示すように、接続端子１７ｅと電源信号線１９が接続されていると、光源９に印加電圧、および電流が供給される構成になっている。
【００４０】
識別回路１６は、図４に示すように、マイコン２３ａと、演算データなどデータが格納されるＲＡＭ２３ｂと、制御プログラムなどが格納されているＲＯＭ２３ｃと、顕微鏡本体１に接続可能な対物レンズ情報が記憶されているＥＥＰＲＯＭ２３ｅと、これらをそれぞれ繋ぐバス２３ｄとで構成されている。
【００４１】
マイコンポート端子（Ｐ０〜Ｐ２）は、接続端子（１７ｆ〜１７ｈ）に接続され、図３に示すように、コネクタ１８を介して、種別信号線（２０ａ〜２０ｃ）と接続されており、また、マイコンポート端子（Ｐ０〜Ｐ２）は、マイコン２３ａ内部の基準電圧（Ｖｃｃ）でプルアップされている。接続端子１７ｉとＧＮＤ信号線２１は、コネクタ１８を介して制御部８のＧＮＤ層に接続される。
【００４２】
識別回路１６が対物レンズの種別を認識するには、マイコン２３ａのマイコンポート端子（Ｐ０〜Ｐ２）の種別電圧レベルをＨｉｇｈレベルにした際の種別部１０に接続される種別信号線（２０ａ〜２０ｃ）の種別電圧レベルから、図５に示すようなＥＥＰＲＯＭ２３ｅに記憶されている対物レンズ種類情報のテーブルと比較して合致した場合、対物レンズの種別が認識される。
【００４３】
また、マイコン２３ａは、ＤＡコンバータ２２にシリアル信号を送信することで、ＤＡコンバータ２２の各チャンネルから出力される基準電圧を決定することができる。
【００４４】
ＤＡコンバータ２２とマイコン２３ａの間には、クロック信号線（ＣＬＫ）と、データ入力線（ＤＩ）と、リード信号線（ＬＤ）が接続されている。ＤＡコンバータ２２は、マイコン２３ａからクロック信号線（ＣＬＫ）にクロック信号が入力され、さらに、データ入力線（ＤＩ）にクロック信号と同期したシリアル信号が入力される。最後に、シリアル信号が入力された後、マイコン２３ａからリード信号線（ＬＤ）にリード信号が出力される。ここで、ＤＡコンバータ２２は、マイコン２３ａより、全てのシリアル信号が送信されたことを認識し、送られてきたシリアル信号を基に各チャンネルから出力される基準電圧を決定する。なお、種別部１０から検出した対物レンズ種類情報に応じて、ＤＡコンバータ２２からの基準電圧を変更することも可能である。
【００４５】
（作用）
以上のように構成された本実施例１の動作および作用について、図６のフローチャートを用いて説明する。
【００４６】
図６に示すように、まず、顕微鏡本体１のメイン電源（図示しない）がＯＮされると（ステップＳ１０１）、マイコン２３ａは、マイコンポート端子（Ｐ０〜Ｐ２）に電圧レベルをＨｉｇｈにして、種別信号線（２０ａ〜２０ｃ）の種別電圧レベル（種別部の状態）を読み出す（ステップＳ１０２）。まず、読み出した種別信号線（２０ａ〜２０ｃ）の種別電圧レベルが２値データで「０，０，０」であった場合（ステップＳ１０３がＹ）、マイコン２３ａは、対物レンズＡであることを識別する（ステップＳ１０８）。次に、「０，０，１」であった場合（ステップＳ１０４がＹ）、対物レンズＢであることを識別する（ステップＳ１０９）。さらに、「０，１，０」であった場合（ステップＳ１０５がＹ）、マイコン２３ａは、対物レンズＣであることを識別する（ステップＳ１１０）。また、「１，１，１」であった場合（ステップＳ１０６がＹ）、接続端子（１７ｆ〜１７ｈ）が開放状態、すなわち、コネクタ１８に何も接続されていないので、マイコン２３ａは、対物レンズユニット４が顕微鏡本体１に未接続であることを識別し（ステップＳ１０７）、処理を完了する。最後に、読み出した種別信号線（２０ａ〜２０ｃ）の種別電圧レベルが対物レンズ種別情報と合致しなかった場合は、接続エラーであると認識し（ステップＳ１１１）、処理を完了する。
【００４７】
（効果）
本実施例１の如く構成することで、顕微鏡本体１に接続された対物レンズの識別をシステム内で容易に行うことができる。また、対物レンズユニット４が対物レンズの種別情報を保有しているので、装着した対物レンズの種別情報を観察者がシステムに直接入力設定する手間を省くことができる。
【００４８】
（実施例１の変形例）
なお、上記の実施例１において、対物レンズ種別情報が対物レンズの倍率情報である場合について説明したが、これ以外にも対物レンズの各種情報（例えば、開口数（ＮＡ）、作動距離（ＷＤ）、分解能）を顕微鏡本体１や顕微鏡本体１に接続可能なパソコン内部のメモリに記憶させることで、こうした各種情報を上記の対物レンズ種別情報に追加できるようにしてもよい。
【実施例２】
【００４９】
次に、本発明の実施例２の顕微鏡システムについて図７〜図９を参照しながら説明する。以下においては、上記の実施例１と異なる部分についてのみ説明する。
【００５０】
（種別部）
図７および図８に示すように、本発明の実施例２の顕微鏡システムの種別部１０は、ＥＥＰＲＯＭ２５で構成されている。対物レンズが顕微鏡本体１に装着された際に、顕微鏡本体１に配置されている識別回路１６に接続部材１１を介して電気的に接続される。また、ＥＥＰＲＯＭ２５には、電源電圧信号線２６、チップセレクト信号線２７、クロック信号線２８、データ信号線２９、ＧＮＤ信号線３２が接続されており、これら信号線は、コネクタケーブル１１に内蔵されている。また、ＥＥＰＲＯＭ２５には、対物レンズ識別情報が記憶されており、データ信号線２９からシリアル信号として、マイコン２３ａに送られる。
【００５１】
対物レンズ識別情報は、例えば、１バイトのシリアル信号になっており、顕微鏡本体１に接続された対物レンズの倍率情報になっている。ＥＥＰＲＯＭ２５から送られるシリアル信号とマイコン２３ａのＲＯＭ２３ｃに固定値で持っている顕微鏡本体１に接続可能な対物レンズ情報と比較して合致した場合、対物レンズの種別が認識される。
【００５２】
（制御部）
制御部８は、照明回路１４と、電源回路１５と、識別回路１６とで構成されており、電源回路１５と識別回路１６からの信号線は、接続端子（３１ａ〜３１ｄ）に接続されており、単一のコネクタ１８にまとめられている。
【００５３】
コネクタ１８は、コネクタケーブル１１のコネクタ１１ｂと電気的に接続でき、コネクタケーブル１１の多芯ケーブル１１ａに内蔵されている照明信号線（１８ａ〜１８ｄ）と電源信号線１９とが接続端子（１７ａ〜１７ｅ）に接続され、さらに、電源電圧信号線２６と、チップセレクト信号線２７と、クロック信号線２８と、データ信号線２９と、ＧＮＤ信号線３２とをコネクタ１８の接続端子（３１ａ〜３１ｅ）に電気的にそれぞれ接続させることができる。
【００５４】
（電源回路）
電源回路１５は、一般的なスイッチング電源回路が構成されたものであり、接続端子３１ａと電源電圧信号線２６が接続されることで、ＥＥＰＲＯＭ２５に電源電圧が供給される。
【００５５】
（識別回路）
識別回路１６は、マイコン２３ａと、演算データなどデータが格納されているＲＡＭ２３ｂ、制御プログラムなどが格納されているＲＯＭ２３ｃと、これらをそれぞれ繋ぐバス２３ｄとで構成されている。
【００５６】
図８に示すように、マイコン２３ａのチップセレクト端子（ＣＳ）とクロック端子（ＣＬＫ）と、データ入力端子（ＤＩ）は、接続端子（３１ｂ〜３１ｄ）にそれぞれ接続され、コネクタ１８を介して、チップセレクト信号線２７と、クロック信号線２８と、データ信号線２９とに接続されており、これら信号線は、マイコン２３ａ内部の基準電圧（Ｖｃｃ）でプルアップされている。
【００５７】
チップセレクト信号線２７は、マイコン２３ａからのチップセレクト信号をＥＥＰＲＯＭ２５に送るための信号線であり、ＥＥＰＲＯＭ２５は、マイコン２３ａからチップセレクト信号を受け取ると、データ信号線２９からシリアル信号をマイコン２３ａに送る。
【００５８】
クロック信号線２８は、マイコン２３ａから数ＭＨｚのクロック信号をＥＥＰＲＯＭ２５に送るための信号線である。データ信号線２９を介してシリアル信号を送る際に、送受信タイミングを同期させるために、クロック信号が送られる。
【００５９】
ＧＮＤ信号線３２は、制御部８のＧＮＤ層に接続した接続端子３１ｅと接続され、ＥＥＰＲＯＭ２５のＧＮＤに接続される。
【００６０】
（作用）
以上のように構成された本実施例２の動作および作用について、図９のフローチャートを用いて説明する。
【００６１】
図９に示すように、まず、顕微鏡本体１のメイン電源（図示しない）がＯＮされると（ステップＳ２０１）、マイコン２３ａは、チップセレクト信号線２７にチップセレクト信号、クロック信号線２８にクロック信号を入力する（ステップＳ２０２）。そうすると、ＥＥＰＲＯＭ２５からは、データ信号線２９にクロック信号に同期したシリアル信号が入力される（ステップＳ２０３）。マイコン２３ａは、受け取ったシリアル信号より、対物レンズの種別情報を取得する。例えば、まず、ＥＥＰＲＯＭ２５から送られてきたシリアル信号は、２値データで「０，０，０，０，０，０，０，０」であった場合は（ステップＳ２０４がＹ）、マイコン２３ａは、対物レンズＡが接続されたことを識別する（ステップＳ２０９）。「０，０，０，０，０，０，０，１」であった場合は（ステップＳ２０５がＹ）、マイコン２３ａは、対物レンズＢが接続されたことを識別する（ステップＳ２１０）。「０，０，０，０，０，０，１，０」であった場合は（ステップＳ２０６がＹ）、マイコン２３ａは、対物レンズＣが接続されたことを識別する（ステップＳ２１１）。また、「１，１，１，１，１，１，１，１」であった場合は（ステップＳ２０７がＹ）、端子３１ｄが開放されている、即ちコネクタ１８に何も接続されていないので、マイコン２３ａは、対物レンズユニット４が顕微鏡本体１に未接続であることを識別し（ステップＳ２０８）、処理を完了する。最後に、ＥＥＰＲＯＭ２５からのシリアル信号がＲＯＭ２３ａの対物レンズ情報と合致しなかった場合は、接続エラーであると認識し（ステップＳ２１２）、処理を完了する。
【００６２】
（効果）
したがって、このようにすれば、対物レンズユニット４側に対物レンズの種別情報を記憶させたＥＥＰＲＯＭ２５を配置し、種別情報のデータ送信をシリアル信号で行うことで、信号線を増やさなくても、識別できる対物レンズを増やすことができる。さらに、ＥＥＰＲＯＭ２５より送られるシリアル信号の容量を増やしたり、顕微鏡本体１や顕微鏡本体１に接続可能なパソコン内部のメモリに記憶させることで、倍率情報だけでなく、開口数（ＮＡ）、作動距離（ＷＤ）、分解能といった対物レンズに関する他の各種情報も信号線を増やすことなく、対物レンズの種別情報に追加することができる。
【００６３】
（実施例２の変形例）
上記の実施例２において、付属部材４ｂは、光源９と種別部１０とを備えるようにしていたが、光源９だけに限らず、例えばシャッターのような駆動部材を配置してもよい。
【００６４】
以上説明したように、本発明の顕微鏡システムによれば、顕微鏡本体１に接続された対物レンズユニット４の種別を顕微鏡システムが容易に識別できるとともに、種別部１０と識別回路１６の構成を簡素にできるため、利便性の高い安価な顕微鏡システムを提供することができる。また、本発明によれば、観察者が対物レンズ種別情報を入力設定しなくても、対物レンズの種別を自動的に識別するので、観察者の入力手間を省くことができる。
【産業上の利用可能性】
【００６５】
以上のように、本発明に係る顕微鏡システムおよび対物レンズユニットは、着脱自在な対物レンズユニットを備える顕微鏡に有用であり、特に、対物レンズの種別情報を自動的に取得するのに適している。
【符号の説明】
【００６６】
１  顕微鏡本体
２  標本
３  ステージ
４  対物レンズユニット
４ａ  対物レンズ本体
４ｂ  付属部材
５  レボルバ
６  鏡筒
７  接眼レンズ
８  制御部
９  光源
１０  種別部
１１  コネクタケーブル（接続部材）
１１ａ  多芯ケーブル
１１ｂ  コネクタ
１２  発光素子
１３ａ〜１３ｃ  識別素子
１４  照明回路
１５  電源回路
１６  識別回路
１７ａ〜１７ｉ  接続端子
１８ａ〜１８ｄ  照明信号線
１８  コネクタ
１９  電源信号線
２０ａ〜２０ｃ  種別信号線
２１  ＧＮＤ信号線
２２  ＤＡコンバータ
２３ａ  マイコン
２３ｂ  ＲＡＭ
２３ｃ  ＲＯＭ
２３ｄ  バス
２３ｅ，２５  ＥＥＰＲＯＭ
２６  電源電圧信号線
２７  チップセレクト信号線
２８  クロック信号線
２９  データ信号線
３１ａ〜３１ｅ  接続端子
３２  ＧＮＤ信号線
【図１】
2010271548.tif 000003
【図２】
2010271548.tif 000004
【図３】
2010271548.tif 000005
【図４】
2010271548.tif 000006
【図５】
2010271548.tif 000007
【図６】
2010271548.tif 000008
【図７】
2010271548.tif 000009
【図８】
2010271548.tif 000010
【図９】
2010271548.tif 000011